(57)【要約】【課題】硬貨収納庫での硬貨の収納量が増大した場合であっても装置内で対応することができる硬貨処理装置を提供する。【解決手段】硬貨処理装置１０は、硬貨の金種別に設けられ、振分部３８で振分けられた硬貨を金種別に収納すると共に、出金指令に基づき収納した硬貨所定枚数を繰出す硬貨収納庫２８ａ〜２８ｆと、出金搬送部４０を搬送される硬貨を一時保留部３４又は出金口２２に振分ける出金切換ゲート４２と、硬貨収納庫２８ａ〜２８ｆから出金搬送部４０に繰出された硬貨を収納すると共に、複数の金種の硬貨を同時に収納可能な混合収納庫４４とを備える。【選択図】図３
2015102926.tif 000002
【特許請求の範囲】
【請求項１】
投入口から投入された硬貨を搬送する第１の搬送路と、
前記第１の搬送路を搬送される硬貨の金種及び真贋を判定する鑑別部と、
前記鑑別部で正貨として判定された硬貨を保留する一時保留部と、
前記一時保留部に保留された硬貨を搬送する第２の搬送路と、
前記第２の搬送路を搬送される硬貨を金種別に振分ける振分部と、
硬貨の金種別に設けられ、前記振分部で振分けられた硬貨を金種別に収納すると共に、出金指令に基づき収納した硬貨を所定枚数繰出す複数の硬貨収納庫と、
前記硬貨収納庫から繰出された硬貨を搬送する第３の搬送路と、
前記第３の搬送路で搬送された硬貨を受け取る出金口と、
前記第３の搬送路を搬送される硬貨を前記一時保留部又は前記出金口に振分ける搬送路切換手段と、
前記硬貨収納庫から前記第３の搬送路に繰出された硬貨を収納すると共に、複数の金種の硬貨を同時に収納可能な混合収納庫と、
を備えることを特徴とする硬貨処理装置。
【請求項２】
請求項１記載の硬貨処理装置において、
前記混合収納庫は、前記第３の搬送路による前記出金口への硬貨の搬送方向で前記硬貨収納庫の上流側位置に設けられていることを特徴とする硬貨処理装置。
【請求項３】
請求項２記載の硬貨処理装置において、
前記混合収納庫は、硬貨の収納口及び繰出口が共に前記第３の搬送路に臨んで設けられており、
前記第３の搬送路による硬貨の搬送方向を、前記一時保留部及び前記出金口に向かう順方向と、前記混合収納庫に向かう逆方向とに切換制御する制御部を備えることを特徴とする硬貨処理装置。
【請求項４】
請求項３記載の硬貨処理装置において、
前記制御部は、硬貨の収納量が満杯状態又は満杯状態に準じた状態となった硬貨収納庫がある場合に、前記第３の搬送路を逆方向に切換制御し、該硬貨収納庫から前記第３の搬送路へと硬貨を繰出して前記混合収納庫へと収納する退避動作を実行することを特徴とする硬貨処理装置。
【請求項５】
請求項４記載の硬貨処理装置において、
前記制御部は、硬貨の補充が必要な硬貨収納庫がある場合には、前記第３の搬送路を順方向に切換制御すると共に、前記搬送路切換手段を前記一時保留部側に切換制御し、前記混合収納庫から前記第３の搬送路へと硬貨を繰出し、該繰出した硬貨を前記一時保留部、前記第２の搬送路、及び前記振分部を経て前記補充が必要な硬貨収納庫へと収納する補充動作を実行することを特徴とする硬貨処理装置。
【請求項６】
請求項５記載の硬貨処理装置において、
前記制御部は、前記退避動作によって前記混合収納庫に収納された硬貨の金種及び枚数を記憶しており、
前記補充が必要な硬貨収納庫に収納可能な金種の硬貨が前記混合収納庫に収納されている場合に前記補充動作を実行することを特徴とする硬貨処理装置。
【請求項７】
請求項６記載の硬貨処理装置において、
前記制御部は、前記混合収納庫に前記補充が必要な硬貨収納庫の金種以外の硬貨が収納されている場合には、前記混合収納庫から繰出された硬貨を一時保留部に移動させておき、前記補充が必要な金種以外の硬貨を収納する硬貨収納庫に収納された硬貨を前記混合収納庫に収納した後、前記一時保留部に移動させておいた硬貨を前記第２の搬送路及び前記振分部を経て前記硬貨収納庫へと収納することを特徴とする硬貨処理装置。
【請求項８】
請求項５記載の硬貨処理装置において、
前記制御部は、前記退避動作によって前記混合収納庫に収納された硬貨の金種別の収納順を記憶可能であることを特徴とする硬貨処理装置。
【発明の詳細な説明】
【技術分野】
【０００１】
本発明は、投入口から投入された硬貨を金種別に硬貨収納庫に収納した後、出金指令に基づき釣銭等として出金口から払い出す硬貨処理装置に関する。
【背景技術】
【０００２】
スーパーマーケットやコンビニエンスストアでは、ＰＯＳ（Ｐｏｉｎｔ  Ｏｆ  Ｓａｌｅｓ）レジスタに、釣銭の出金及び預かり金の入金を行う金銭処理機を接続したものが一般的に用いられている。金銭処理機は、硬貨や紙幣が投入された場合にこれを識別して収納する一方、ＰＯＳレジスタから出金指令が与えられた場合に該当する金額の硬貨や紙幣を払い出すようにしたものであり、硬貨を扱う硬貨処理装置と紙幣を扱う紙幣処理装置とがある。
【０００３】
一般的な硬貨処理装置は、投入口から投入された硬貨を鑑別し、金種別に硬貨収納庫に収納した後、ＰＯＳレジスタ等からの出金指令に基づき釣銭等として出金口から所定額を払い出すものである（例えば、特許文献１参照）。この硬貨処理装置では、投入口から装置奥側に向けて順に１円収納庫、５０円収納庫、５円収納庫、１００円収納庫、１０円収納庫、５００円収納庫が配置され、投入口から投入された硬貨を金種毎に対応した硬貨収納庫に収納・出金することができる。
【先行技術文献】
【特許文献】
【０００４】
【特許文献１】特開２０１２−２４８０４４号公報
【発明の概要】
【発明が解決しようとする課題】
【０００５】
ところで、上記のような硬貨処理装置を使用している場合、例えば、入金が多く出金が少ない状況や、特定の金種が多く入金される一方、他の金種の出金が少ない状況等では、硬貨収納庫での硬貨の収納量が増大し、各硬貨収納庫が満杯状態となることがある。そうすると、それ以上の装置内への入金が困難となるため、現状では満杯状態となった硬貨収納庫から硬貨を繰出して出金口へと払出し、店員等がこれを回収して別の金庫等に保管するといった対応をとっている。このため、払出された硬貨の置き場や管理が必要となり、さらに硬貨を装置外で取扱う必要があってセキュリティ面での問題を生じていた。
【０００６】
本発明は、上記従来の課題を考慮してなされたものであり、硬貨収納庫での硬貨の収納量が増大した場合であっても装置内で対応することができる硬貨処理装置を提供することを目的とする。
【課題を解決するための手段】
【０００７】
本発明に係る硬貨処理装置は、投入口から投入された硬貨を搬送する第１の搬送路と、前記第１の搬送路を搬送される硬貨の金種及び真贋を判定する鑑別部と、前記鑑別部で正貨として判定された硬貨を保留する一時保留部と、前記一時保留部に保留された硬貨を搬送する第２の搬送路と、前記第２の搬送路を搬送される硬貨を金種別に振分ける振分部と、硬貨の金種別に設けられ、前記振分部で振分けられた硬貨を金種別に収納すると共に、出金指令に基づき収納した硬貨を所定枚数繰出す複数の硬貨収納庫と、前記硬貨収納庫から繰出された硬貨を搬送する第３の搬送路と、前記第３の搬送路で搬送された硬貨を受け取る出金口と、前記第３の搬送路を搬送される硬貨を前記一時保留部又は前記出金口に振分ける搬送路切換手段と、前記硬貨収納庫から前記第３の搬送路に繰出された硬貨を収納すると共に、複数の金種の硬貨を同時に収納可能な混合収納庫とを備えることを特徴とする。
【０００８】
このような構成によれば、硬貨収納庫での硬貨の収納量が増大し、いずれか又は複数の硬貨収納庫がフル状態やニアフル状態となった場合であっても、該当する硬貨収納庫内の硬貨を混合収納庫に移動させ、ここで保管しておくことができる。すなわち、硬貨収納庫のフル状態等への対応を全て装置内で行うことができる。このため、フル状態等になった硬貨収納庫内の硬貨を出金口へと払出し、店員等がこれを回収して別の金庫等に保管する必要がなく、回収された硬貨の置き場や管理が不要となり、さらに、硬貨を装置外で取扱う必要がないため、セキュリティ面での問題も解消できる。しかも硬貨収納庫内の硬貨の収納枚数が少なくなった場合には、混合収納庫内の硬貨を硬貨収納庫内へと移動させて硬貨を補充することができ、外部からの硬貨の補充作業を不要とし或いは低減することができる。
【０００９】
前記混合収納庫は、前記第３の搬送路による前記出金口への硬貨の搬送方向で前記硬貨収納庫の上流側位置に設けられていると、既設の第３の搬送路を用いて混合収納庫への硬貨の収納及び繰出しを行うことができる。
【００１０】
前記混合収納庫は、硬貨の収納口及び繰出口が共に前記第３の搬送路に臨んで設けられており、前記第３の搬送路による硬貨の搬送方向を、前記一時保留部及び前記出金口に向かう順方向と、前記混合収納庫に向かう逆方向とに切換制御する制御部を備えることが好ましい。
【００１１】
前記制御部は、硬貨の収納量が満杯状態又は満杯状態に準じた状態となった硬貨収納庫がある場合に、前記第３の搬送路を逆方向に切換制御し、該硬貨収納庫から前記第３の搬送路へと硬貨を繰出して前記混合収納庫へと収納する退避動作を実行するとよい。
【００１２】
前記制御部は、硬貨の補充が必要な硬貨収納庫がある場合には、前記第３の搬送路を順方向に切換制御すると共に、前記搬送路切換手段を前記一時保留部側に切換制御し、前記混合収納庫から前記第３の搬送路へと硬貨を繰出し、該繰出した硬貨を前記一時保留部、前記第２の搬送路、及び前記振分部を経て前記補充が必要な硬貨収納庫へと収納する補充動作を実行するとよい。
【００１３】
この場合、前記制御部は、前記退避動作によって前記混合収納庫に収納された硬貨の金種及び枚数を記憶しており、前記補充が必要な硬貨収納庫に収納可能な金種の硬貨が前記混合収納庫に収納されている場合に前記補充動作を実行するように構成するとよい。
【００１４】
前記制御部は、前記混合収納庫に前記補充が必要な硬貨収納庫の金種以外の硬貨が収納されている場合には、前記混合収納庫から繰出された硬貨を一時保留部に移動させておき、前記補充が必要な金種以外の硬貨を収納する硬貨収納庫に収納された硬貨を前記混合収納庫に収納した後、前記一時保留部に移動させておいた硬貨を前記第２の搬送路及び前記振分部を経て前記硬貨収納庫へと収納する構成とするとよい。
【００１５】
前記制御部は、前記退避動作によって前記混合収納庫に収納された硬貨の金種別の収納順を記憶可能であると、硬貨の補充が必要となった硬貨収納庫に対し、混合収納庫から該当する硬貨のみを繰出すことが可能となる。
【発明の効果】
【００１６】
本発明によれば、硬貨収納庫での硬貨の収納量が増大した場合であっても、該当する硬貨収納庫内の硬貨を混合収納庫に移動させ、ここで保管しておくことができ、この動作を装置内で対応することができるため、装置外での硬貨置き場の問題やセキュリティ面での問題を解消することができる。
【図面の簡単な説明】
【００１７】
【図１】図１は、本発明の一実施形態に係る硬貨処理装置の構成を示す平面図である。
【図２】図２は、図１に示す硬貨処理装置の正面図である。
【図３】図３は、入金動作での硬貨処理装置の内部の構成を模式的に示す平面図である。
【図４】図４は、出金動作での硬貨処理装置の内部の構成を模式的に示す平面図である。
【図５】図５は、退避動作での硬貨処理装置の内部の構成を模式的に示す平面図である。
【図６】図６は、補充動作での硬貨処理装置の内部の構成を模式的に示す平面図である。
【図７】図７は、回収動作での硬貨処理装置の内部の構成を模式的に示す平面図である。
【発明を実施するための形態】
【００１８】
以下、本発明に係る硬貨処理装置について好適な実施の形態を挙げ、添付の図面を参照しながら詳細に説明する。
【００１９】
図１は、本発明の一実施形態に係る硬貨処理装置１０の構成を示す平面図であり、図２は、図１に示す硬貨処理装置１０の正面図である。硬貨処理装置１０は、例えば、図示しないＰＯＳレジスタ、紙幣処理装置、及び棒金収納庫と接続され、スーパーマーケットやコンビニエンスストア等の店舗に設置されるＰＯＳレジシステムを構成するものである。
【００２０】
図１及び図２に示すように、硬貨処理装置１０は、箱状の筐体１２を備える。筐体１２の上面には、前方右側に複数枚の硬貨を同時に投入可能な投入口１４が設けられ、投入口１４の左側にディスプレイ１６と複数の操作ボタン１８とを備えた操作パネル２０が設けられている。筐体１２の前面には、ディスプレイ１６と近接した位置に出金口（硬貨払出口）２２及びこれと接続された硬貨トレイ２４が設けられ、投入口１４と近接した前面位置に投入硬貨を返却する返却口２６が設けられている。
【００２１】
投入口１４に投入された硬貨は、筐体１２の内部で一時保留され、その金額が確定した後、後述する金種別の硬貨収納庫２８ａ〜２８ｆ（図３参照）に収納され、ディスプレイ１６にはそのときの投入金額が表示される。ディスプレイ１６には、投入金額の他、硬貨処理装置１０の動作状態や操作指示等も表示される。出金口２２は、釣銭として払い出される硬貨、鑑別不能なリジェクト硬貨、及び硬貨処理装置１０内から回収される硬貨が払い出されるものであり、出金口２２から出金された硬貨は硬貨トレイ２４に受け止められる。
【００２２】
図３は、図１に示す硬貨処理装置１０の内部の構成を模式的に示す平面図であり、投入口１４から投入された硬貨を硬貨収納庫２８ａ〜２８ｆに収納する入金動作を説明する図である。図３中の矢印は硬貨処理装置１０内で処理される硬貨の移動方向を示すものであり、後述する図４〜図７についても同様である。
【００２３】
図３に示すように、硬貨処理装置１０は、投入口１４に投入された硬貨を装置内へと搬送する入金搬送部（第１の搬送路）３０と、入金搬送部３０を搬送される硬貨を鑑別し、その真贋及び金種を判定する鑑別部３２と、鑑別部３２で正貨として判定された硬貨を一時保留する一時保留部３４と、一時保留部３４から繰出される硬貨を搬送する収納搬送部（第２の搬送路）３６と、収納搬送部３６を搬送される硬貨を金種別に振分けて硬貨収納庫２８ａ〜２８ｆへと搬入する振分部３８と、振分部３８で金種別に振分けられた硬貨を金種別に収納すると共に、出金指令に基づき所定枚数を繰出す硬貨収納庫２８ａ〜２８ｆと、硬貨収納庫２８ａ〜２８ｆから繰出された硬貨を搬送する出金搬送部（第３の搬送路）４０と、出金搬送部４０で搬送された硬貨を装置外に排出する出金口２２と、出金搬送部４０を搬送される硬貨を一時保留部３４又は出金口２２に振分ける出金切換ゲート（搬送路切換手段）４２と、硬貨収納庫２８ａ〜２８ｆから出金搬送部４０に繰出された硬貨を収納すると共に、複数金種の硬貨を同時に収納可能な混合収納庫４４と、各部の制御を行う制御部４６とを備える。
【００２４】
投入口１４と入金搬送部３０との間には、投入口１４に投入された硬貨を１枚ずつに分離して入金搬送部３０へと繰出す図示しない分離部（第１の分離部）が設けられている。
【００２５】
鑑別部（検銭部）３２と一時保留部３４との間には、リジェクトゲート４８が設けられている。リジェクトゲート４８は、通常は出金口２２側に設定され、鑑別部３２によって正貨として識別された硬貨があった場合に制御部４６の制御下に出金口２２側から一時保留部３４側に切換えられ、これを一時保留部３４に導入する。つまり、鑑別部３２によって正貨として識別されなかった硬貨（偽損硬貨や識別不能硬貨）は出金口２２から装置外へと返却され、偽損硬貨等の入金が拒否される。
【００２６】
一時保留部３４と収納搬送部３６との間には、一時保留部３４に保留された硬貨を１枚ずつに分離して収納搬送部３６へと繰出す図示しない分離部（第２の分離部）が設けられている。さらに、一時保留部３４と収納搬送部３６との間には、キャンセルゲート５０が設けられている。キャンセルゲート５０は、通常は収納搬送部３６側に設定され、一時保留部３４内の硬貨を収納搬送部３６及び振分部３８に導入可能となっている。図示しない返却レバー等が操作され、一時保留部３４に保留された硬貨の返却指示がなされた場合に、キャンセルゲート５０は制御部４６の制御下に収納搬送部３６側から返却口２６側に切換えられ、一旦入金された硬貨を返却口２６へと返却する。
【００２７】
振分部３８は、一時保留部３４から繰出され、収納搬送部３６を搬送される硬貨を金種別に選別し、その枚数を計数して金種別に各硬貨収納庫２８ａ〜２８ｆに搬入するものである。振分部３８は、硬貨処理装置１０の前面から後方に向かって延びるように筐体１２の右側面に沿って配置されている。振分部３８による硬貨の選別は、例えば、収納搬送部３６を搬送される硬貨の外径の違いを利用して行われる。
【００２８】
硬貨収納庫２８ａ〜２８ｆは、それぞれ割り当てられた金種を専用に収納する収納庫である。硬貨収納庫２８ａ〜２８ｆは、収納搬送部３６による硬貨の搬送方向に沿って筐体１２の前側から後側に向かって並列されており、この搬送方向で上流側から下流側に向かって順に外径の小さな硬貨から外径の大きな硬貨を受け入れる配置となっている。すなわち、収納搬送部３６の上流側から下流側に向かう順で、硬貨収納庫２８ａは１円収納庫であり、硬貨収納庫２８ｂは５０円収納庫であり、硬貨収納庫２８ｃは５円収納庫であり、硬貨収納庫２８ｄは１００円収納庫であり、硬貨収納部２８ｅは１０円収納庫であり、硬貨収納部２８ｆは５００円収納庫である。
【００２９】
硬貨収納庫２８ａ〜２８ｆには、収納された硬貨を出金搬送部４０に繰出す繰出口に、出金指令に基づき硬貨を１枚ずつ分離して計数しながら繰出す図示しない分離部（第３の分離部）が設けられている。硬貨収納庫２８ａ〜２８ｆには、さらに、振分部３８から搬入される硬貨がその内部に堆積されて満杯状態（フル状態）又は満杯状態に準じた状態（ニアフル状態）となることを検出する図示しない満杯検知センサが設けられている。
【００３０】
混合収納庫４４は、出金搬送部４０による出金口２２への硬貨の搬送方向で硬貨収納庫２８ｆの上流側となる最奥位置に設けられ、本実施形態では当該硬貨処理装置１０で取扱う全ての金種の硬貨を収納することができる。混合収納庫４４は、出金搬送部４０との間でのみ硬貨の出し入れを行うものであり、硬貨の収納口及び繰出口が共用であり、出金搬送部４０に臨んでいる。制御部４６の制御下に出金搬送部４０の搬送方向を適宜切換えることにより、出金搬送部４０の終端位置に設置されたＲ形状のガイド部材５２を介して混合収納庫４４での硬貨の収納及び繰出しが行われる。ガイド部材５２は、出金搬送部４０と混合収納庫４４との間で移動する硬貨と当接し、その移動をガイドする壁体であり、Ｒ形状の曲面の他、傾斜面等で構成されてもよい。
【００３１】
このように、混合収納庫４４では、振分部３８との間での硬貨の出し入れは行われない。振分部３８は上記のように硬貨の外径の違いを利用して各硬貨収納庫２８ａ〜２８ｆへの振分けを行うものであり、最も大径の硬貨である５００円硬貨を収納する硬貨収納庫２８ｆの奥にある混合収納庫４４に硬貨を収納することはできない構造であるためである。
【００３２】
次に、以上のように構成された硬貨処理装置１０の動作について説明する。
【００３３】
先ず、入金動作では、図３に示すように、投入口１４に硬貨が投入されると、投入された硬貨が図示しない投入検知センサによって検出され、入金搬送部３０が駆動される。入金搬送部３０で搬送される硬貨は、途中の鑑別部３２で真贋、正損及び金種が識別され、正貨であれば一時保留部３４に送られて一時保留される。その後、正貨として一時保留部３４に保留された投入硬貨の金額がディスプレイ１６に表示され、操作ボタン１８のうちの確定ボタン等の操作、又は上位にあるＰＯＳレジスタ等からの指示によりその投入金額が確定されると、一時保留部３４に保留された硬貨が収納搬送部３６に１枚ずつ送出されて振分部３８で金種別に選別・計数され、その金種に応じた硬貨収納庫２８ａ〜２８ｆに収納される。
【００３４】
次に、出金動作は、例えば上記の入金動作と共に釣銭を払い出す際に行われる。出金動作では、図４に示すように、それぞれの硬貨収納庫２８ａ〜２８ｆから釣銭として払い出される硬貨が指定枚数だけ出金搬送部４０に繰出されると、出金搬送部４０によって出金口２２から装置外に払出され、同時にその出金額がディスプレイ１６に表示される。
【００３５】
なお、出金切換ゲート４２を一時保留部３４側に切換えた状態で、全ての硬貨収納庫２８ａ〜２８ｆに収納された全ての硬貨を出金搬送部４０に繰出し、一時保留部３４を介して再び硬貨収納庫２８ａ〜２８ｆに収納する循環動作を行うと、振分部３８等により当該硬貨収納装置１０に収納された各金種の在高を調査する精査動作を行うことができる。
【００３６】
この精査動作時、混合収納庫４４内の硬貨も硬貨収納庫２８ａ〜２８ｆに収納された硬貨と同様に一時保留部３４を介して循環させて計数しても勿論よい。但し、混合収納庫４４も含めて精査動作を行う場合であって、いずれかの硬貨収納庫２８ａ〜２８ｆ内が上記満杯検知センサによってフル状態又はニアフル状態にある場合には、一旦全ての硬貨収納庫２８ａ〜２８ｆ及び混合収納庫４４から全ての硬貨を繰出して一時保留部３４に保留した後、当該フル状態等にある金種に対応した硬貨収納庫２８ａ〜２８ｆでは収納と同時に繰出しを行い、後述する退避動作によってオーバーフロー分の硬貨を混合収納庫４４に収納するとよい。なお、後述するように混合収納庫４４内の金種及びその収納枚数は制御部４６によって記憶されているため、精査動作では混合収納庫４４内の硬貨を循環させなくても問題はない。
【００３７】
次に、混合収納庫４４を利用した退避動作及び補充動作について説明する。
【００３８】
退避動作は、満杯検知センサによってフル状態又はニアフル状態が検知された硬貨収納庫２８ａ〜２８ｆに収納された硬貨を混合収納庫４４へと移動させる動作である。補充動作は、収納硬貨の枚数が少なくなった硬貨収納庫２８ａ〜２８ｆに対し、該当する硬貨を混合収納庫４４が収納している場合に該混合収納庫４４から硬貨を繰出して硬貨収納庫２８ａ〜２８ｆへと移動させる動作である。
【００３９】
先ず、満杯検知センサにより、硬貨収納庫２８ａ〜２８ｆでの収納枚数がフル状態又はニアフル状態が検知された場合、制御部４６は、該当する硬貨収納庫２８ａ〜２８ｆ内の硬貨を混合収納庫４４に移動させる退避動作を実行する。図５に示すように、この退避動作では、制御部４６は、対象となる硬貨収納庫２８ａ〜２８ｆから予め定められた一定枚数の硬貨を出金搬送部４０に繰出させる。同時に、出金搬送部４０による硬貨の搬送方向を出金口２２に向かう順方向ではなく混合収納庫４４に向かう逆方向で駆動する。これにより、出金搬送部４０に繰出された硬貨は出金搬送部４０によって逆方向に搬送され、ガイド部材５２を介して混合収納庫４４へと収納される。この補充動作時、硬貨収納庫２８ａ〜２８ｆから混合収納庫４４に移動した硬貨の金種及び金種毎の枚数は制御部４６によって記憶・管理される。
【００４０】
例えば、硬貨収納庫２８ｄ，２８ｅに設けられた満杯検知センサにより、硬貨収納庫２８ｄ，２８ｅでの収納枚数がフル状態又はニアフル状態と検知された場合、制御部４６は、図５に示すように硬貨収納庫２８ｄ，２８ｅ内の１００円硬貨及び１０円硬貨を混合収納庫４４に移動させ、これら硬貨収納庫２８ｄ，２８ｅ内を空ける退避動作を実行する。
【００４１】
次に、収納枚数が少なくなり硬貨の補充が必要となった硬貨収納庫２８ａ〜２８ｆに該当する硬貨が混合収納庫４４に収納されている場合、制御部４６は、混合収納庫４４内の硬貨を硬貨収納庫２８ａ〜２８ｆに移動させて硬貨を補充する補充動作を実行する。図６に示すように、この補充動作では、制御部４６は、混合収納庫４４に収納した硬貨を出金搬送部４０に繰出させる。同時に、出金搬送部４０による硬貨の搬送方向を出金口２２に向かう順方向で駆動し、さらに出金切換ゲート４２を一時保留部３４側に切換える。これにより、出金搬送部４０に繰出された硬貨は出金搬送部４０によって搬送されて一時保留部３４に導入され、上記した入金動作の場合と同様、一時保留部３４に導入された硬貨は振分部３８から対応する硬貨収納庫２８ａ〜２８ｆにそれぞれ収納される。
【００４２】
例えば、制御部４６により、硬貨収納庫２８ｄ，２８ｅにおける硬貨の収納枚数と繰出枚数との差が算出され、硬貨収納庫２８ｄ，２８ｅに硬貨を補充する必要があると判定された場合であって、対象となる１００円硬貨及び１０円硬貨が混合収納庫４４に収納されている場合、制御部４６は、図６に示すように、混合収納庫４４に収納した硬貨を硬貨収納庫２８ｄ，２８ｅに補充する補充動作を実行する。
【００４３】
ところで、混合収納庫４４には、通常、複数金種の硬貨が混ざって収納されているが、上記した補充動作時には、混合収納庫４４に収納されている全ての硬貨を出金搬送部４０に繰出せばよい。繰出された硬貨は振分部３８によって振分けられ、該当する硬貨収納部２８ａ〜２８ｆに補充されるからである。なお、混合収納庫４４では、出金搬送部４０との間での硬貨の出入り口となる収納口及び繰出口が共用である。このため、混合収納庫４４から出金搬送部４０への繰出口には、硬貨収納庫２８ａ〜２８ｆの繰出口のように硬貨を１枚ずつ分離して計数しながら繰出す分離部を設ける必要はない。
【００４４】
例えば、混合収納庫４４には１００円硬貨と１０円硬貨が混在している状態で、１００円硬貨を収納する硬貨収納庫２８ｄにのみ補充が必要となった場合であっても、その際の補充動作では混合収納庫４４内の全ての硬貨を繰出し、一時保留部３４に移動させる。この際、一時保留部３４に移動された１００円硬貨及び１０円硬貨の枚数は制御部４６によって管理されている。そこで、補充の必要のない１０円収納庫である硬貨収納庫２８ｅに収納している硬貨のうち、一時保留部３４に移動されている１０円硬貨の枚数と同数の硬貨を該硬貨収納庫２８ｅから出金搬送部４０に繰出し、上記した退避動作の場合と同様に混合収納庫４４に移動させる。続いて、一時保留部３４に保留している１００円硬貨及び１０円硬貨をそれぞれ硬貨収納庫２８ｄ，２８ｅに移動させることにより、この場合の補充動作を完了させることができる。従って、このような退避動作と補充動作とは、その退避が必要な硬貨の金種や補充が必要な硬貨の金種によっては、両動作を同時に実行してもよい。
【００４５】
但し、例えば、混合収納庫４４内に１００円硬貨のみが５０枚収納されていることが制御部４６によって記憶・管理されており、補充動作での補充対象が１００円収納庫である硬貨収納庫２８ｄに対して１００円硬貨を２０枚だけ補充すればよいと判断された場合には、混合収納庫４４からの硬貨の繰出しを適宜タイミングで停止し、該当する硬貨収納庫２８ｄへの補充枚数を計数し、その補充枚数を調整することも可能である。同様に、混合収納庫４４に複数金種の硬貨が混ざっている場合にも、混合収納庫４４からの硬貨の繰出しを適宜タイミングで停止し、該当する硬貨収納庫２８ａ〜２８ｆへの補充枚数の計数結果に基づき補充枚数を調整することもできる。なお、上記例のように、例えば、硬貨収納庫２８ｄに対して１００円硬貨を２０枚補充する必要があると判断された場合において、仮に混合収納庫４４から硬貨収納庫２８ｄに補充される硬貨の枚数が２０枚丁度ではなく１７枚や２１枚となった場合であっても、硬貨収納庫２８ｄ内の収納枚数は計数されており、当該硬貨処理装置１０の内部に収納されている硬貨の枚数に違いはないため特に問題を生じることはない。
【００４６】
上記のような補充動作は、当該硬貨処理装置１０が入金動作や出金動作を行っていない空き時間を利用して装置側で自動的に実行するようにしてもよく、操作ボタン１８の操作によって或いは上位のＰＯＳレジスタ等からの指示によって実行してもよい。
【００４７】
勿論、当該硬貨処理装置１０では、硬貨収納庫２８ａ〜２８ｆに硬貨の補充が必要となった場合、上記した補充動作に代えて又は補充動作の前後のタイミングで、投入口１４から補充用の硬貨を人手によって投入し、上記した入金動作と同様な制御で補充が必要な硬貨収納庫２８ａ〜２８ｆに硬貨を補充する方法を行うこともできる。
【００４８】
次に、当該硬貨処理装置１０に収納された全ての硬貨を回収（全回収）する場合には、図７に示すように、全ての硬貨収納庫２８ａ〜２８ｆ及び混合収納庫４４に収納している全ての硬貨を出金搬送部４０に繰出し、出金口２２から装置外に出金する回収動作を実行すればよい。この際、硬貨処理装置１０に収納されている全ての硬貨の金種、枚数及び合計金額は制御部４６によって記憶・管理されているため、回収動作によって装置外に払い出された金額の確認も容易に行うことができる。
【００４９】
上記では、制御部４６は、混合収納庫４４に収納された硬貨の金種及び金種毎の枚数を記憶・管理するものとしたが、さらに、混合収納庫４４への金種別の収納順を記憶・管理するものとしてもよい。例えば、制御部４６は、混合収納庫４４に１０円硬貨を５０枚収納した後、１００円硬貨を３０枚収納したことを管理する。この場合、混合収納庫４４を、硬貨が入ってきた順番で又はその逆順番で整列させて収納する構造としておくことにより、例えば、その後、硬貨収納庫２８ｄへの１００円硬貨の補充動作が必要となった場合に、１００円硬貨のみを繰出すことが可能となる。さらに、混合収納庫４４からの１００円硬貨の繰出しを適宜タイミングで停止し、該当する硬貨収納庫２８ｄへの補充枚数の計数結果に基づき補充枚数を調整すれば、１００円硬貨のみが所定枚数繰出されるまで補充動作を実施することも可能となる。
【００５０】
以上のように、本実施形態に係る硬貨処理装置１０によれば、出金搬送部４０を搬送される硬貨を一時保留部３４又は出金口２２に振分ける出金切換ゲート４２と、硬貨収納庫２８ａ〜２８ｆから出金搬送部４０に繰出された硬貨を収納すると共に、複数の金種の硬貨を同時に収納可能な混合収納庫４４とを備える。従って、硬貨収納庫２８ａ〜２８ｆでの硬貨の収納量が増大し、いずれか又は複数の硬貨収納庫２８ａ〜２８ｆがフル状態やニアフル状態となった場合であっても、該当する硬貨収納庫２８ａ〜２８ｆ内の硬貨を混合収納庫４４に移動させ、ここで保管しておくことができる。すなわち、硬貨収納庫２８ａ〜２８ｆのフル状態等への対応を装置内で行うことができる。このため、従来構成のように、フル状態等になった硬貨収納庫内の硬貨を出金口へと払出し、店員等がこれを回収して別の金庫等に保管する必要がなく、回収された硬貨の置き場や管理が不要となり、さらに、硬貨を装置外で取扱う必要がないため、セキュリティ面での問題も解消できる。しかも、混合収納庫４４を設けたことにより、硬貨収納庫２８ａ〜２８ｆ内の硬貨の収納枚数が少なくなった場合には、混合収納庫４４内の硬貨を硬貨収納庫２８ａ〜２８ｆ内へと移動させる補充動作を行うことができ、外部からの補充作業を不要とし或いは低減することができる。
【００５１】
当該硬貨処理装置１０では、混合収納庫４４は、出金搬送部４０による出金口２２への硬貨の搬送方向で硬貨収納庫２８ａ〜２８ｆの上流側位置に設けられている。このため、出金搬送部４０の駆動方向を逆転させることにより、この出金搬送部４０を利用して硬貨を容易に混合収納庫４４に移動させ、又は混合収納庫４４内の硬貨を出金搬送部４０に繰出して再び硬貨収納庫２８ａ〜２８ｆへと補充することができる。このため、混合収納庫４４のための新たな搬送部を設ける必要がなく、低コストで混合収納庫４４を設置することができる。
【００５２】
なお、本発明は、上記した実施形態に限定されるものではなく、本発明の主旨を逸脱しない範囲で自由に変更できることは勿論である。
【符号の説明】
【００５３】
１０  硬貨処理装置
１２  筐体
１４  投入口
２２  出金口
２８ａ〜２８ｆ  硬貨収納庫
３０  入金搬送部
３２  鑑別部
３４  一時保留部
３６  収納搬送部
３８  振分部
４０  出金搬送部
４２  出金切換ゲート
４４  混合収納庫
４６  制御部
４８  リジェクトゲート
５０  キャンセルゲート
【図１】
2015102926.tif 000003
【図２】
2015102926.tif 000004
【図３】
2015102926.tif 000005
【図４】
2015102926.tif 000006
【図５】
2015102926.tif 000007
【図６】
2015102926.tif 000008
【図７】
2015102926.tif 000009